(57)【特許請求の範囲】
【請求項１】
ユーザの端末が行う匿名基盤プロフィールを介してソーシャルネットワークサービスを提供するためのインターフェース表示方法において、
インスタントメッセージサービスのインターフェース内の第１ページの第１領域を用いて、前記インスタントメッセージサービスのユーザアカウントによって生成された少なくとも１つの匿名基盤チャットルームのリストに該当する第１リストを表示するステップと、
前記インスタントメッセージサービスのインターフェース内の第２ページの第１領域を用いて、前記ユーザアカウントと連動して生成された複数の匿名基盤プロフィールのリストに該当する第２リストを表示するステップと、
前記第２リストのいずれか１つの匿名基盤プロフィールを選択する入力に反応して、前記選択された匿名基盤プロフィールを介して前記ソーシャルネットワークサービスを提供するためのインターフェースを表示するステップと、
を含み、
前記複数の匿名基盤プロフィールそれぞれには、該当する匿名基盤プロフィールと一対一にチャットする匿名基盤チャットルームに参加するためのリンク情報が付与され、
前記少なくとも１つの匿名基盤チャットルームのそれぞれは、該当する匿名基盤プロフィールに付与されたリンク情報を介してアクセス可能であり、前記該当する匿名基盤プロフィールと１対１チャットするチャットルームである、匿名基盤プロフィールを介してソーシャルネットワークサービスを提供するためのインターフェース表示方法。
【請求項２】
前記選択された匿名基盤プロフィールを介して前記ソーシャルネットワークサービスを提供するためのインターフェースを表示するステップは、前記選択された匿名基盤プロフィールのカバービューインターフェースを表示するステップを含む、請求項１に記載の匿名基盤プロフィールを介してソーシャルネットワークサービスを提供するためのインターフェース表示方法。
【請求項３】
前記カバービューインターフェースを表示するステップは、
前記カバービューインターフェース内の第１領域を用いて、前記選択された匿名基盤プロフィールの情報を表示するステップと、
前記カバービューインターフェース内の第２領域を用いて、前記選択された匿名基盤プロフィールを介して前記ソーシャルネットワークサービスに掲示されたコンテンツのリストを表示するステップと、
前記カバービューインターフェース内の第３領域を用いて、前記選択された匿名基盤プロフィールに付与されるリンク情報を介して前記インスタントメッセージサービスで生成される１：１チャット形態のチャットルームリストを表示するステップと、
前記カバービューインターフェース内の第４領域を選択する入力に反応して、前記選択された匿名基盤プロフィールを用いて、前記ソーシャルネットワークサービスにコンテンツを掲示するためのインターフェースを表示するステップと、
を含む、請求項２に記載の匿名基盤プロフィールを介してソーシャルネットワークサービスを提供するためのインターフェース表示方法。
【請求項４】
前記選択された匿名基盤プロフィールを介して前記ソーシャルネットワークサービスを提供するためのインターフェースを表示するステップは、前記選択された匿名基盤プロフィールを用いて前記ソーシャルネットワークサービスにコンテンツを掲示するためのインターフェースを表示するステップを含む、請求項１に記載の匿名基盤プロフィールを介してソーシャルネットワークサービスを提供するためのインターフェース表示方法。
【請求項５】
前記コンテンツは、テキスト、オーディオ、写真、及び動画のうち少なくとも１つを含む、請求項４に記載の匿名基盤プロフィールを介してソーシャルネットワークサービスを提供するためのインターフェース表示方法。
【請求項６】
前記インスタントメッセージサービスのインターフェース内の第１ページの第２領域を用いて、前記インスタントメッセージサービスによって提供される匿名基盤チャットルームに関するキーワードのうち、予め決定した方法により決定される推薦キーワードを表示するステップをさらに含む、請求項１に記載の匿名基盤プロフィールを介してソーシャルネットワークサービスを提供するためのインターフェース表示方法。
【請求項７】
前記インスタントメッセージサービスのインターフェース内の第１ページの第３領域を用いて、前記インスタントメッセージサービスによって提供される匿名基盤チャットルームのうち、予め決定した方法により決定される推薦匿名基盤チャットルームを表示するステップをさらに含む、請求項１に記載の匿名基盤プロフィールを介してソーシャルネットワークサービスを提供するためのインターフェース表示方法。
【請求項８】
少なくとも１つの匿名基盤プロフィールに基づいてソーシャルネットワークサービスを提供するサーバの制御方法において、
第１ユーザ端末から第１匿名基盤プロフィールに対する生成要求を受信するステップと、
前記第１匿名基盤プロフィールを生成するステップと、
前記第１匿名基盤プロフィールにリンク情報を付与するステップと、
前記第１匿名基盤プロフィールに付与されたリンク情報を介してアクセス可能であり、前記第１匿名基盤プロフィールと１対１チャットする少なくとも１つのチャットルームを生成するステップと、
を含み、
前記第１ユーザ端末上に出力される前記第１匿名基盤プロフィールに対する詳細インターフェースには、前記第１匿名基盤プロフィールに設定された関心事データ及び前記第１匿名基盤プロフィールが参加する前記少なくとも１つのチャットルームに対するリストを提供する、ソーシャルネットワークサービスを提供するサーバの制御方法。
【請求項９】
前記リンク情報は、前記第１ユーザ端末が他のユーザ端末に共有するための情報である、請求項８に記載のソーシャルネットワークサービスを提供するサーバの制御方法。
【請求項１０】
前記リンク情報が共有された第２ユーザ端末から前記リンク情報に対応する要求が受信
されると、第１匿名基盤プロフィール関連情報を前記第２ユーザ端末に回答するステップをさらに含む、請求項９に記載のソーシャルネットワークサービスを提供するサーバ
の制御方法。
【請求項１１】
前記第２ユーザ端末が回答された前記第１匿名基盤プロフィール関連情報は、前記第１匿名基盤プロフィールに設定された関心事データである、請求項１０に記載のソーシャルネットワークサービスを提供するサーバの制御方法。
【請求項１２】
前記関心事データは、前記第１匿名基盤プロフィールに関連するハッシュタグ及びポストのうち少なくとも１つを含む、請求項１１に記載のソーシャルネットワークサービスを提供するサーバの制御方法。
【請求項１３】
前記第２ユーザ端末上で前記第１匿名基盤プロフィールに関する詳細インターフェースが出力され、
前記出力される詳細インターフェース上には、前記関心事データが含まれる、請求項１２に記載のソーシャルネットワークサービスを提供するサーバの制御方法。
【請求項１４】
前記出力される詳細インターフェース上で前記関心事データに含まれるポストは、前記第１匿名基盤プロフィールに設定された関心事データに関連する順に整列されて示す、請求項８に記載のソーシャルネットワークサービスを提供するサーバの制御方法。
【請求項１５】
前記第１匿名基盤プロフィールを介して行われるチャット開設要求は、前記第１匿名基盤プロフィールに関連する詳細インターフェースを通したユーザ入力によって行われる、請求項８に記載のソーシャルネットワークサービスを提供するサーバの制御方法。
【請求項１６】
少なくとも１つの匿名基盤プロフィールに基づいてユーザ端末が行うソーシャルネット
ワークサービス提供方法において、
第１匿名基盤プロフィール生成要求をソーシャルネットワークサービス提供サーバに送
信するステップと、
前記第１匿名基盤プロフィール生成要求に基づいて生成された第１匿名基盤プロフィールに対する詳細インターフェースを出力するステップと、
を含み、
前記詳細インターフェースは、前記第１匿名基盤プロフィールに設定された関心事デー
タ及び前記第１匿名基盤プロフィールに付与されたリンク情報を介してアクセス可能であ
り、前記第１匿名基盤プロフィールと１対１チャットする少なくとも１つのチャットルー
ムのリストを含む、ソーシャルネットワークサービス提供方法。
【請求項１７】
ハードウェアと結合して請求項１〜請求項１６のいずれか１項に記載の方法を実行させるために媒体に格納されたコンピュータプログラム。
【発明の詳細な説明】
【技術分野】
【０００１】
以下の実施形態は、ソーシャルネットワークサービス関連活動の情報をチャットルームに提供する方法及び装置に関し、具体的に、インスタントメッセージサービスのアカウントと連動して生成される匿名基盤プロフィールを用いたソーシャルネットワークサービスをインスタントメッセージサービスのチャットルームに提供する方法に関する。
【背景技術】
【０００２】
インスタントメッセージサービス（ｉｎｓｔａｎｔ  ｍｅｓｓａｇｅ  ｓｅｒｖｉｃｅ）は、インターネットのようなネットワークを用いて二人以上のユーザにリアルタイムオンラインコミュニケーションを可能にするサービスを意味する。インスタントメッセージサービスでは、テキスト及びイモティコンなどを中心にした情報的メッセージの伝達機能が主な機能になっている。
【０００３】
しかし、インスタントメッセージサービス利用者の様々なサービスに対する要求が大きくなっているが、これを満たすためには、従来の情報的なメッセージ伝達に限定されていない新しい機能を提供することのできる技術の開発が求められている。
【０００４】
さらに、インスタントメッセージサービスは、基本的に、メッセージアプリケーションで友人関係であるユーザ間のメッセージを伝達するサービスである。但し、インターネット普及が次第に広がりながら、様々なオンラインコミュニティ又はカフェを通した知らない人との交流が増加している状況である。このような知らない人とインスタントメッセージをやり取りするために、ユーザは、電話番号又はメッセージアプリケーションのＩＤなどの個人的な情報を交換しなければならない不便があり、個人的な情報を知らない人に露出しなければならないという危険を負担しなければならない。
【０００５】
従って、電話番号やメッセージアプリケーションのＩＤなどのような個人的な情報を交換しなくても、メッセージアプリケーションで知らない人とインスタントメッセージ及び様々な活動を可能にする方案が必要である。
【０００６】
このような要求を解決するためのオープンチャットサービスが存在する。オープンチャットサービスは、チャットルームの生成者あるいは参加者が匿名基盤プロフィールで参加可能なオープンチャットルームを提供するサービスである。オープンチャットルームには、固有なリンク情報がマッピングされ、当該のリンク情報を通じて参加者が当該オープンチャットルームに参加することができる。オープンチャットルームの生成時点あるいは参加時点で、インスタントメッセージングサービスの一般的なプロフィールでなく、１回性の匿名基盤のプロフィールが生成されることがある。
【０００７】
但し、従来のサービスにおいて、匿名基盤のプロフィールは、1回済みのように限定され、これを再利用して他のオープンチャットルームに参加したり、当該の匿名基盤プロフィールを介してソーシャルネットワークサービス活動するなど、匿名基盤プロフィールを積極的に活用することができなかった。
【発明の概要】
【発明が解決しようとする課題】
【０００８】
下記で説明する実施形態は、インターネットによる関係形成が加速する時代において、単一のユーザアカウントを介して複数の匿名基盤プロフィールを提供することで、インスタントメッセージングサービスを中心にソーシャルネットワークサービスを統合し、ユーザ経験を多次元的に増大させる技術を提供する。
【０００９】
実施形態は、インスタントメッセージサービスのアカウントと連動した複数の匿名基盤プロフィールを提供しようとする。
【００１０】
実施形態は、インスタントメッセージサービスのアカウントと連動して生成される匿名基盤プロフィールを用いたソーシャルネットワークサービス関連活動の情報をインスタントメッセージサービスのチャットルームに提供しようとする。
【００１１】
実施形態は、インスタントメッセージサービスのアカウントと連動して生成される匿名基盤プロフィールとプロフィールを用いたソーシャルネットワークサービス関連活動を共に提供しようとする。
【課題を解決するための手段】
【００１２】
一実施形態に係るユーザの端末が行う匿名基盤プロフィールを介してソーシャルネットワークサービスを提供するためのインターフェースを表示方法は、インスタントメッセージサービスのインターフェース内の第１ページの第１領域を用いて、前記インスタントメッセージサービスのユーザアカウントによって生成された少なくとも１つの匿名基盤チャットルームのリストに該当する第１リストを表示するステップと、前記インスタントメッセージサービスのインターフェース内の第２ページの第１領域を用いて、前記ユーザアカウントと連動して生成された複数の匿名基盤プロフィールのリストに該当する第２リストを表示するステップと、前記第２リストのいずれか１つの匿名基盤プロフィールを選択する入力に反応して、前記選択された匿名基盤プロフィールを介して前記ソーシャルネットワークサービスを提供するためのインターフェースを表示するステップとを含む。前記複数の匿名基盤プロフィールそれぞれには、該当する匿名基盤プロフィールと一対一にチャットする匿名基盤チャットルームに参加するためのリンク情報が付与され、前記少なくとも１つの匿名基盤チャットルームのそれぞれは、該当する匿名基盤プロフィールに付与されたリンク情報を介してアクセス可能であり、前記該当する匿名基盤プロフィールと１対１チャットするチャットルームである。
【００１３】
前記選択された匿名基盤プロフィールを介して前記ソーシャルネットワークサービスを提供するためのインターフェースを表示するステップは、前記選択された匿名基盤プロフィールのカバービューインターフェースを表示するステップを含むことができる。
【００１４】
前記カバービューインターフェースを表示するステップは、前記カバービューインターフェース内の第１領域を用いて、前記選択された匿名基盤プロフィールの情報を表示するステップと、前記カバービューインターフェース内の第２領域を用いて、前記選択された匿名基盤プロフィールを介して前記ソーシャルネットワークサービスに掲示されたコンテンツのリストを表示するステップと、前記カバービューインターフェース内の第３領域を用いて、前記選択された匿名基盤プロフィールに付与されるリンク情報を介して前記インスタントメッセージサービスで生成される１：１チャット形態のチャットルームリストを表示するステップと、前記カバービューインターフェース内の第４領域を選択する入力に反応して、前記選択された匿名基盤プロフィールを用いて、前記ソーシャルネットワークサービスにコンテンツを掲示するためのインターフェースを表示するステップとを含むことができる。
【００１５】
前記選択された匿名基盤プロフィールを介して前記ソーシャルネットワークサービスを提供するためのインターフェースを表示するステップは、前記選択された匿名基盤プロフィールを用いて前記ソーシャルネットワークサービスにコンテンツを掲示するためのインターフェースを表示するステップを含むことができる。
【００１６】
前記コンテンツは、テキスト、オーディオ、写真、及び動画のうち少なくとも１つを含んでもよい。
【００１７】
一実施形態に係るユーザ端末が行う匿名基盤プロフィールを介してソーシャルネットワークサービスを提供するためのインターフェース表示方法は、前記インスタントメッセージサービスのインターフェース内の第１ページの第２領域を用いて、前記インスタントメッセージサービスによって提供される匿名基盤チャットルームに関するキーワードのうち、予め決定した方法により決定される推薦キーワードを表示するステップをさらに含むことができる。
【００１８】
一実施形態に係るユーザ端末が行う匿名基盤プロフィールを介してソーシャルネットワークサービスを提供するためのインターフェース表示方法は、前記インスタントメッセージサービスのインターフェース内の第１ページの第３領域を用いて、前記インスタントメッセージサービスによって提供される匿名基盤チャットルームのうち、予め決定した方法により決定される推薦匿名基盤チャットルームを表示するステップをさらに含むことができる。
【００１９】
ユーザ端末は、インスタントメッセージサービスのインターフェース内の第１ページの第１領域を用いて、前記インスタントメッセージサービスのユーザアカウントによって生成された少なくとも１つの匿名基盤チャットルームのリストに該当する第１リストを表示し、前記インスタントメッセージサービスのインターフェース内の第２ページの第１領域を用いて、前記ユーザアカウントと連動して生成された少なくとも１つの匿名基盤プロフィールのリストに該当する第２リストを表示し、前記第２リストのいずれか１つの匿名基盤プロフィールを選択する入力に反応して、前記選択された匿名基盤プロフィールを介して前記ソーシャルネットワークサービスを提供するためのインターフェースを表示するプロセッサを含む。前記少なくとも１つの匿名基盤チャットルームそれぞれには、該当する匿名基盤チャットルームに参加するためのリンク情報が付与され、前記少なくとも１つの匿名基盤プロフィールそれぞれには該当する匿名基盤プロフィールと一対一にチャットする匿名基盤チャットルームに参加するためのリンク情報が付与されることができる。
【００２０】
一実施形態に係る少なくとも１つの匿名基盤プロフィールに基づいてソーシャルネットワークサービスを提供するサーバの制御方法は、第１ユーザ端末から第１匿名基盤プロフィールに対する生成要求を受信するステップと、前記第１匿名基盤プロフィールを生成するステップと、前記第１匿名基盤プロフィールにリンク情報を付与するステップと、前記第１匿名基盤プロフィールに付与されたリンク情報を介してアクセス可能であり、前記第１匿名基盤プロフィールと１対１チャットする少なくとも１つのチャットルームを生成するステップとを含む。前記第１ユーザ端末上に出力される前記第１匿名基盤プロフィールに対する詳細インターフェースには、前記第１匿名基盤プロフィールに設定された関心事データ及び前記第１匿名基盤プロフィールが参加する前記少なくとも１つのチャットルームに対するリストを提供することができる。
【００２１】
前記リンク情報は、前記第１ユーザ端末が他のユーザ端末に共有するための情報である。
【００２２】
前記サーバの制御方法は、前記リンク情報が共有された第２ユーザ端末から前記リンク情報に対応する要求が受信されると、前記第１匿名基盤プロフィール関連情報を前記第２ユーザ端末に回答するステップをさらに含むことができる。
【００２３】
前記第２ユーザ端末が回答された前記第１匿名基盤プロフィール関連情報は、前記第１匿名基盤プロフィールに設定された関心事データである。
【００２４】
前記関心事データは、前記第１匿名基盤プロフィールに関連するハッシュタグ及びポストのうち少なくとも１つを含むことができる。
【００２５】
前記第２ユーザ端末上で前記第１匿名基盤プロフィールに関する詳細インターフェースが出力され、前記出力される詳細インターフェース上には、前記関心事データが含まれることができる。
【００２６】
前記出力される詳細インターフェース上で前記関心事データに含まれるポストは、前記第１匿名基盤プロフィールに設定された関心事データに関連する順に整列されて示すことができる。
【００２７】
前記第１匿名基盤プロフィールを介して行われるチャット開設要求は、前記第１匿名基盤プロフィールに関連する詳細インターフェースを通したユーザ入力によって行われることができる。
【００２８】
一実施形態に係るソーシャルネットワークサービスを提供するサーバは、少なくとも１つの匿名基盤プロフィールに関連する情報に基づいて、ソーシャルネットワークサービスを提供するための少なくとも１つのプロセッサを含み、前記プロセッサは、第１ユーザ端末から第１匿名基盤プロフィールに対する生成要求を受信し、前記第１匿名基盤プロフィールを生成し、前記生成された第１匿名基盤プロフィールが参加する少なくとも１つのチャットルームを生成し、前記第１ユーザ端末上に出力される前記第１匿名基盤プロフィールに対する詳細インターフェースには、前記第１匿名基盤プロフィールに設定された関心事データ及び前記第１匿名基盤プロフィールが参加する少なくとも１つのチャットルームに対するリストを提供する。
【００２９】
一実施形態に係る少なくとも１つの匿名基盤プロフィールに基づいてユーザ端末が行うソーシャルネットワークサービス提供方法は、第１匿名基盤プロフィール生成要求をソーシャルネットワークサービス提供サーバに送信するステップと、前記生成された第１匿名基盤プロフィールに対する詳細インターフェースを出力するステップとを含み、前記詳細インターフェースは、前記第１匿名基盤プロフィールに設定された関心事データ及び前記第１匿名基盤プロフィールに参加したチャットリストを含む。
【００３０】
一実施形態に係る少なくとも１つの匿名基盤プロフィールに基づいてソーシャルネットワークサービス提供する端末は、ソーシャルネットワークサービスを提供するためのデータを格納するメモリと、前記格納されているデータに基づいてソーシャルネットワークサービスを提供するための制御部とを含み、前記制御部は、第１匿名基盤プロフィール生成要求をメッセージサーバに送信し、前記生成された第１匿名基盤プロフィールに対する詳細インターフェースを出力し、前記詳細インターフェースは、前記第１匿名基盤プロフィールに設定された関心事データ及び前記第１匿名基盤プロフィールに付与されたリンク情報を介してアクセス可能であり、前記第１匿名基盤プロフィールと１対１チャットする少なくとも１つのチャットルームのリストを含む。
【００３１】
一実施形態に係るサーバが行うソーシャルネットワークサービス関連活動の情報をチャットルームに提供する方法は、インスタントメッセージサービスのアカウントと連動して生成される複数の匿名基盤プロフィールごとにソーシャルネットワークサービスを提供するステップと、前記インスタントメッセージサービスのチャットルームに参加中であるユーザの複数の匿名基盤プロフィールのうち、前記チャットルームに対応して選択された第１匿名基盤プロフィールを介して実行された前記ソーシャルネットワークサービス関連活動の情報を受信するステップと、前記第１匿名基盤プロフィールを介して実行された前記ソーシャルネットワークサービス関連活動の情報を前記チャットルームに提供するステップとを含む。
【００３２】
前記チャットルームに提供する方法は、前記チャットルームに対応して選択される前記ユーザのプロフィールが、前記第１匿名基盤プロフィールで第２匿名基盤プロフィールに変更される場合、前記第２匿名基盤プロフィールを介して実行された前記ソーシャルネットワークサービス関連活動の情報を受信するステップと、前記第２匿名基盤プロフィールを介して実行された前記ソーシャルネットワークサービス関連活動の情報を前記チャットルームで提供するステップとをさらに含むことができる。
【００３３】
前記ソーシャルネットワークサービス関連活動は、前記第１匿名基盤プロフィールに対応する掲示空間に前記第１匿名基盤プロフィールを用いてコンテンツを掲示する活動、前記第１匿名基盤プロフィールを用いて掲示したコンテンツを修正する活動と、掲示されたコンテンツに前記第１匿名基盤プロフィールを用いてフィードバックをする活動のうち少なくとも１つを含むことができる。
【００３４】
前記コンテンツは、テキスト、オーディオ、写真及び動画のうち少なくとも１つを含んでもよい。
【００３５】
前記ソーシャルネットワークサービス関連活動の情報は、前記少なくとも１つの第１匿名基盤プロフィールのプロフィール情報、前記ソーシャルネットワークサービス関連活動にアクセスできるリンク及び前記ソーシャルネットワークサービス関連活動のサムネイルのうち少なくとも１つを含むことができる。
【００３６】
前記ソーシャルネットワークサービス関連活動の情報を受信するステップは、前記チャットルームに対する、前記第１匿名基盤プロフィールを介して実行された前記ソーシャルネットワークサービス関連活動の共有要求を受信するステップを含むことができる。
【００３７】
前記チャットルームに提供するステップは、前記チャットルームに参加したチャットしたユーザを抽出し、前記チャットしたユーザの端末に前記ソーシャルネットワークサービス関連活動の情報を送信するステップを含むことができる。
【００３８】
前記チャットしたユーザの端末は、受信した前記ソーシャルネットワークサービス関連活動の情報を前記チャットルームのチャット表示領域にふきだしと区別されるリッチフィード形態に表示してもよい。
【００３９】
前記チャットしたユーザの端末は、受信した前記ソーシャルネットワークサービス関連活動の情報を前記チャットルームの予め割り当てられた領域にリスト形態に表示してもよい。
【００４０】
前記リッチフィードを選択する入力に反応して、前記チャットしたユーザの端末は、前記ソーシャルネットワークサービス関連活動を提供するためのインターフェースを表示することができる。
【００４１】
前記チャットルームは、リンク情報を介して参加できるチャットルームを含むことができる。
【００４２】
ユーザの端末が行うソーシャルネットワークサービス関連活動の情報をチャットルームに提供する方法は、インスタントメッセージサービス上に前記ユーザのアカウントと連動して生成される複数の匿名基盤プロフィールごとにソーシャルネットワークサービス要求をサーバに伝達するステップと、前記サーバから前記複数の匿名基盤プロフィールのいずれか１つの匿名基盤プロフィールに参加中であるチャットルームリストを受信して表示するステップと、前記ユーザから前記チャットルームリストに前記いずれか１つの匿名基盤プロフィールを介して実行されたソーシャルネットワークサービス関連活動を共有しようとする少なくとも１つのチャットルームが選択されるステップと、前記ソーシャルネットワークサービス関連活動の情報を前記選択されたチャットルームに表示するステップとを含む。
【００４３】
前記ソーシャルネットワークサービス関連活動の情報を前記選択されたチャットルームに表示するステップは、前記ソーシャルネットワークサービス関連活動の情報を前記選択されたチャットルームのチャット表示領域にふきだしと区別されるリッチフィード形態に表示するステップを含むことができる。
【００４４】
前記ソーシャルネットワークサービス関連活動の情報を前記選択されたチャットルームに表示するステップは、前記ユーザの入力に反応して、前記ソーシャルネットワークサービス関連活動の情報を前記選択されたチャットルームの予め割り当てられた領域にリスト形態に表示するステップを含むことができる。
【００４５】
前記リッチフィードを選択する入力に反応して、前記ソーシャルネットワークサービス関連活動を提供するためのインターフェースを表示するステップをさらに含むことができる。
【００４６】
一実施形態に係るソーシャルネットワークサービス関連活動の情報をチャットルームに提供するサーバは、インスタントメッセージサービスのアカウントと連動して生成される複数の匿名基盤プロフィールごとにソーシャルネットワークサービスを提供し、前記インスタントメッセージサービスのチャットルームに参加中であるユーザの複数の匿名基盤プロフィールのうち、前記チャットルームに対応して選択された第１匿名基盤プロフィールを介して実行された前記ソーシャルネットワークサービス関連活動の情報を受信し、前記匿名基盤プロフィールを介して実行された前記ソーシャルネットワークサービス関連活動の情報を前記チャットルームに提供するプロセッサとを含む。
【００４７】
前記プロセッサは、前記チャットルームに対応して選択される前記ユーザのプロフィールが前記第１匿名基盤プロフィールから第２匿名基盤プロフィールに変更される場合、前記第２匿名基盤プロフィールを介して実行された前記ソーシャルネットワークサービス関連活動の情報を受信し、前記第２匿名基盤プロフィールを介して実行された前記ソーシャルネットワークサービス関連活動の情報を前記チャットルームに提供することができる。
【００４８】
前記チャットルームに参加中であるチャットしたユーザの端末は、受信した前記ソーシャルネットワークサービス関連活動の情報を前記チャットルームのチャット表示領域にふきだしと区別されるリッチフィード形態に表示する、ソーシャルネットワークサービス関連活動の情報をチャットルームに提供することができる。
【００４９】
前記チャットルームに参加中であるチャットしたユーザの端末は、受信した前記ソーシャルネットワークサービス関連活動の情報を前記チャットルームの予め割り当てられた領域にリスト形態に表示する、ソーシャルネットワークサービス関連活動の情報をチャットルームに提供することができる。
【００５０】
一実施形態に係るユーザ端末が行うソーシャルネットワークサービス提供方法は、前記ユーザ端末が提供するインスタントメッセージサービスに加入するとき設定される１つの一般プロフィールに連動する複数の匿名基盤プロフィールのうち少なくとも１つを選択されるステップと、前記選択された匿名基盤プロフィールに連動されて登録されるコンテンツを認識するステップと、前記コンテンツ及び前記選択された匿名基盤プロフィールをサーバに送信するステップと、前記コンテンツが前記サーバに前記選択された匿名基盤プロフィールに連動する形態と登録された結果を受信するステップとを含む。
【００５１】
前記インスタントメッセージサービスは、チャットルームを提供し、前記選択された匿名基盤プロフィールは、前記チャットルームのうち少なくとも１つに参加中であってもよい。前記匿名基盤プロフィールが参加するチャットルームは、リンク情報を介して参加可能なオープンチャットルームであってもよい。
【００５２】
前記インスタントメッセージサービスが提供するチャットルームは複数であり、前記複数のチャットルームのいずれか１つは、前記一般プロフィール及び前記匿名基盤プロフィールのいずれか１つが参加中であってもよい。
【００５３】
前記一般プロフィールはユーザのアカウント関連情報に対応し、前記匿名基盤プロフィールは前記ユーザのアカウント関連情報が露出されなくてもよい。
【００５４】
前記ソーシャルネットワークサービス提供方法は、前記ユーザ端末に開設された全体チャットルームのうち、前記選択された匿名基盤プロフィールが参加中であり、前記コンテンツに関する情報が共有可能なチャットルームリストを提供するステップと、前記チャットルームリストのうち、前記コンテンツに関する情報を共有するチャットルームを選択されるステップと、前記選択されたチャットルームの情報を前記サーバに送信するステップと、前記コンテンツに関する情報を前記選択されたチャットルームに掲示するステップとをさらに含むことができる。
【００５５】
前記チャットルームリストを提供するステップは、前記サーバから前記チャットルームリストを受信して提供したり、前記ユーザ端末が前記全体チャットルームのうち少なくとも一部を選択して前記チャットルームリストを生成して提供することができる。
【００５６】
前記チャットルームを選択されるステップにおいて、前記選択されたチャットルームは、予め決定した個数以内であってもよい。
【００５７】
前記コンテンツに関する情報は、１）前記コンテンツ、２）前記コンテンツが登録されている前記サーバのページに接続されるリンク、及び３）前記選択されたプロフィールに対する前記サーバのページに接続されるリンクのうち少なくとも１つを含むことができる。
【００５８】
前記コンテンツに関する情報は、前記選択されたチャットルームのチャットウィンドウで知らせメッセージの形式に掲示されたり、前記選択されたチャットルームのチャットウィンドウで前記選択されたプロフィールの発話形式に掲示されたり、前記チャットウィンドウにオーバーレイされるウィンドウの少なくとも一部に掲示されてもよい。
【００５９】
前記コンテンツに関する情報は、前記コンテンツが登録された前記サーバのページに接続されるリンク及び前記ページで抽出された要約情報を含むことができる。
【００６０】
前記ソーシャルネットワークサービス提供方法は、前記サーバに送信するステップの後に、前記コンテンツに関する情報を前記サーバから受信するステップをさらに含むことができる。
【００６１】
前記コンテンツは、前記選択されたプロフィールに関する情報を含む。前記コンテンツは新しく生成されたり、あらかじめ格納されたコンテンツのうちから選択されてもよい。
【００６２】
前記ソーシャルネットワークサービス提供方法は、相手方の匿名基盤プロフィールに従属した相手側のコンテンツを受信するステップと、前記相手側のコンテンツにフィードバックが入力されるステップと、前記フィードバックを入力された情報及び前記選択された匿名基盤プロフィールの情報を前記サーバに送信するステップとをさらに含むことができる。
【００６３】
前記ソーシャルネットワークサービス提供方法は、前記ユーザ端末がオープンチャットルームを提供している状態で、前記選択された匿名基盤プロフィールの切り替えの要求が入力されるステップと、前記選択可能な匿名基盤プロフィールのリストを提供するステップと、前記匿名基盤プロフィールのリストのいずれか１つを選択されるステップと、前記オープンチャットルームで発話メッセージの匿名基盤プロフィールを前記新しく選択された匿名基盤プロフィールに切り替えるステップとをさらに含むことができる。
【００６４】
一実施形態に係るサーバが行うソーシャルネットワークサービス提供方法は、前記サーバが提供するインスタントメッセージサービスにユーザが加入するとき設定される１つの一般プロフィールに連動する複数の匿名基盤プロフィールを生成するステップと、前記匿名基盤プロフィールのうち前記ユーザによって選択された匿名基盤プロフィールに関する情報及びコンテンツを受信するステップと、前記コンテンツを前記選択された匿名基盤プロフィールに連動する形態に登録するステップとを含む。
【発明の効果】
【００６５】
実施形態は、インスタントメッセージサービスのアカウントと連動される複数の匿名基盤プロフィールを提供することができる。
【００６６】
実施形態は、インスタントメッセージサービスのアカウントと連動して生成される匿名基盤プロフィールを用いたソーシャルネットワークサービス関連活動の情報をインスタントメッセージサービスのチャットルームに提供することができる。
【００６７】
実施形態は、インスタントメッセージサービスのアカウントと連動して生成される匿名基盤プロフィールとプロフィールを用いたソーシャルネットワークサービス関連の活動を共に提供することができる。
【図面の簡単な説明】
【００６８】
【図１】一実施形態に係るインスタントメッセージサービスのアカウントと連動して生成されるプロフィールを用いて提供されるサービスを説明するための図である。
【図２】一実施形態に係るユーザ端末のインスタントメッセージサービスのインターフェース内オープンチャットページ及び推薦ポストページの例示である。
【図３】一実施形態に係るユーザ端末のソーシャルネットワークサービス関連活動を行うためのインターフェースの例示である。
【図４】一実施形態に係るソーシャルネットワークサービス関連活動の情報をチャットルームに共有する方法を説明するための図である。
【図５】一実施形態に係るソーシャルネットワークサービス関連活動の情報をチャットルームで表示するインターフェースの例示である。
【図６】一実施形態に係るオープンプロフィールの情報をチャットルームで表示するインターフェースの例示である。
【図７】一実施形態に係るユーザの端末が行う匿名基盤プロフィールを介してソーシャルネットワークサービスを提供するためのインターフェース表示方法を説明するためのフローチャートである。
【図８】一実施形態に係るサーバが行うソーシャルネットワークサービス関連活動の情報をチャットルームに提供する方法を説明するためのフローチャートである。
【発明を実施するための形態】
【００６９】
本明細書で開示されている特定の構造的又は機能的な説明は単に実施形態を説明するための目的として例示されたものであり、実施形態は様々な異なる形態で実施され、本明細書に説明された実施形態に限定されることはない。
【００７０】
第１又は第２などの用語を複数の構成要素を説明するために用いることがあるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００７１】
いずれかの構成要素が他の構成要素に「連結」されているか「接続」されていると言及されたときには、その他の構成要素に直接的に連結されているか又は接続されているが、中間に他の構成要素が存在し得るものと理解されなければならない。一方、いずれかの構成要素が他の構成要素に「直接連結されて」いるか「直接接続されて」いると言及されたときは、中間に更なる構成要素が存在しないものと理解されなければならないのであろう。構成要素間の関係を説明する表現、例えば、「〜の間に」と「すぐ〜の間に」または「〜に隣接する」と「〜に直接隣接する」なども同様に理解されなければならないのであろう。
【００７２】
単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００７３】
異なるように定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００７４】
実施形態は、パーソナルコンピュータ、ラップトップコンピュータ、タブレットコンピュータ、スマートフォン、テレビ、スマート家電機器、知能型自動車、キオスク、ウェアラブル装置などの多様な形態の製品で実現することができる。以下、実施形態について添付の図面を参照して詳細に説明する。各図面に示された同じ参照符号は同じ部材を示す。
【００７５】
図１は、一実施形態に係るインスタントメッセージサービスのアカウントと連動して生成されるプロフィールを用いて提供されるサービスを説明するための図である。
【００７６】
図１を参照すると、一実施形態に係るインスタントメッセージサービスは、同一のインスタントメッセンジャーをインストールした二人以上のユーザにリアルタイムオンラインコミュニケーションを提供する。インスタントメッセンジャーはメッセージアプリケーションであってもよく、インスタントメッセージサービスはメッセージアプリケーションでインスタントメッセージサービスのアカウントを有するユーザ間のメッセージを伝達するサービスであってもよい。
【００７７】
インスタントメッセージサービスは、ユーザ及びサーバを主体として含むことができる。ユーザは、インスタントメッセージサービスのクライアントを意味する。ユーザは、メッセンジャーアプリケーションがインストールされた端末を介してサーバに接続することができる。
【００７８】
ユーザの端末は、コンピュータ、ＵＭＰＣ（Ｕｌｔｒａ  Ｍｏｂｉｌｅ  ＰＣ）、ワークステーション、ネットブック（ｎｅｔ−ｂｏｏｋ）、ＰＤＡ（Ｐｅｒｓｏｎａｌ  Ｄｉｇｉｔａｌ  Ａｓｓｉｓｔａｎｔｓ）、ポータブル（ｐｏｒｔａｂｌｅ）コンピュータ、ウェブタブレット（ｗｅｂ  ｔａｂｌｅｔ）、無線電話機（ｗｉｒｅｌｅｓｓ  ｐｈｏｎｅ）、モバイルフォン（ｍｏｂｉｌｅ  ｐｈｏｎｅ）、スマートフォン（ｓｍａｒｔ  ｐｈｏｎｅ）、ｅ−ブック（ｅ−ｂｏｏｋ）、ＰＭＰ（ｐｏｒｔａｂｌｅ  ｍｕｌｔｉｍｅｄｉａ  ｐｌａｙｅｒ）、携帯用ゲーム機、ナビゲーション（ｎａｖｉｇａｔｉｏｎ）装置、ブラックボックス（ｂｌａｃｋ  ｂｏｘ）又は、デジタルカメラ（ｄｉｇｉｔａｌ  ｃａｍｅｒａ）のような電子装置の１つで、サーバに関するメッセンジャーアプリケーションのインストール及び実行可能な全てのユーザ装置を意味する。ユーザの端末は、メッセンジャーアプリケーションの制御下でサービス画面の構成、データ入力、データ送受信、データ格納などのサービス全般の動作を行ってもよい。
【００７９】
サーバは、クライアントを対象にインスタントメッセージサービスを提供するサービスプラットフォームの役割を果たす。ユーザは、メッセージアプリケーションを介してサーバが提供するインスタントメッセージサービスに加入し、インスタントメッセージサービスのアカウントを生成する。ユーザは、インスタントメッセージサービスのアカウントと連動された一般のプロフィール及び複数の匿名基盤プロフィールを生成する。一般プロフィールは、ユーザと特定の関係（例えば、友人関係）のユーザには、インスタントメッセージサービスのアカウント関連情報が公開され、特定の関係でないユーザには、制限された情報のみが公開されるプロフィールであってもよい。インスタントメッセージサービスのアカウント関連情報は、ユーザのＩＤ、電話番号、及びメールアドレスのうち少なくとも１つを含んでもよい。匿名基盤プロフィールは、インスタントメッセージサービスのアカウント関連情報は公開されず、ユーザが設定した情報がユーザと特定の関係であるか否かに関係なく、リンク情報を介して公開されるプロフィールである。以下、匿名基盤プロフィールは、オープンプロフィールと称する。
【００８０】
一実施形態によれば、オープンプロフィールのリンク情報を用いて該当するオープンプロフィールとの１：１チャットサービス機能がサポートされる。この場合、オープンプロフィールは、１：１チャット形態のオープンチャットルームに対応するリンク情報を有する。オープンチャットルームは、メッセージアプリケーションで友人関係であるか否かに関係なく、リンク情報を介して参加できるチャットルームを意味する。
【００８１】
リンク情報は、当該１：１チャット形態のオープンチャットルームに接続されるリンクに関する情報を意味する。例えば、リンク情報は、Ｃｕｓｔｏｍ  ＵＲＬ  Ｓｃｈｅｍｅ、ｈｔｔｐ  ＵＲＬ、ＱＲｃｏｄｅ（登録商標）、強調表示されたテキスト、アイコンなどの形態を有する。Ｃｕｓｔｏｍ  ＵＲＬ  Ｓｃｈｅｍｅは、アプリケーションを実行させるリンク情報形態であってもよい。ｈｔｔｐ  ＵＲＬは、所定のウェブページに接続するリンク情報形態であってもよい。ＱＲｃｏｄｅは、白黒の格子パターンで情報を表現する２次元バーコードであり、例えば、所定のウェブページに接続する情報を含んでもよい。強調表示されたテキストは、テキストの形態を有するが、全体又は一部のテキストの外形が変形されたものであり、所定のウェブページに接続するリンク情報を含む。アイコンは、事物、施設、形態、概念などを容易に認知できるように、象徴的な絵で示した絵文字を意味し、所定のウェブページに接続する情報を含んでいる。
【００８２】
実施形態によれば、一般プロフィール及び複数の匿名基盤プロフィールは、サーバ（例えば、インスタントメッセージサーバ）によってインスタントメッセージサービスが単一アカウントに連動して管理されることができる。
【００８３】
インスタントメッセージサービスは、インスタントメッセージサービスのアカウントと連動された複数のオープンプロフィールを提供することができる。ユーザは、それぞれのオープンプロフィールを用いてインスタントメッセージサービス関連活動及びソーシャルネットワークサービス（ＳＮＳ；Ｓｏｃｉａｌ  Ｎｅｔｗｏｒｋ  Ｓｅｒｖｉｃｅ）の活動を行ってもよい。以下、インスタントメッセージサービス関連活動及びソーシャルネットワークサービス関連活動は、互いに区別される概念として理解される。例えば、インスタントメッセージサービス関連活動は、一般プロフィールあるいは匿名基盤プロフィールで参加中であるチャットルームを介して、他のユーザとリアルタイムあるいは準リアルタイムでチャットしたり情報を交流するための目的の活動を含み、ソーシャルネットワークサービス関連活動は、チャットルームと区別される掲示空間（例えば、匿名基盤プロフィールに対応する掲示空間）を介してコンテンツを掲示、修正したり、あらかじめ掲示されているコンテンツにフィードバックする活動を含む。
【００８４】
また、インスタントメッセージサービス関連活動及びソーシャルネットワークサービス関連活動は、それぞれのオープンプロフィールを用いて独立的に実行されることができる。例えば、第１匿名基盤プロフィールを用いて行ったメッセージサービス関連活動は、第２匿名基盤プロフィールを用いたメッセージサービス関連活動と別に実行される。
【００８５】
インスタントメッセージサービス関連活動は、チャットルームに参加してリアルタイムオンラインコミュニケーションを行うことを意味する。チャットルームとは、２以上のユーザが参加してインスタントメッセージを交換するよう、インスタントメッセージサーバ上に開設される仮想空間を意味する。チャットルームは、匿名基盤のチャットルームを含んでもよい。匿名基盤のチャットルームは、リンク情報を介して参加できるチャットルームを意味する。匿名基盤のチャットルームは、メッセージアプリケーションで友人関係であるか否かに関係なく、リンク情報を介して参加できるチャットルームを意味する。以下、匿名基盤のチャットルームは、オープンチャットルームに称される。
【００８６】
オープンチャットルームは、一般に友人関係であるユーザとチャットを行うための一般チャットルームとは区別される。オープンチャットルームは、１：１チャットを行う１：１チャット形態のオープンチャットルーム又は３人以上のユーザが参加するグループチャット形態のオープンチャットルームであってもよい。オープンチャットルームには、オープンプロフィールを用いて参加することができる。
【００８７】
一実施形態によれば、オープンチャットルームとオープンプロフィールの生成時にそれぞれのリンク情報が発行あるいは付与されるため、リンクの衝突防止のためにサーバは、１：１チャット形態のオープンチャットルームで相手側のオープンプロフィールを介して１：１チャットの申し込みを制限する。また、一実施形態によれば、オープンプロフィールに付与されたリンク情報を介して生成された１：１チャット形態のチャットルームで、当該オープンプロフィールの変更が制限されることがある。但し、この場合にも、チャットルームのリンク情報と関係のない参加者のオープンプロフィールは、他のオープンプロフィールに変更されてもよい。
【００８８】
ソーシャルネットワークサービス関連活動は、ユーザがオープンプロフィールに対応する掲示空間（例えば、オープンプロフィールのプロフィールページ）にオープンプロフィールを用いてコンテンツを掲示する活動、オープンプロフィールを用いて掲示したコンテンツを修正する活動、及び掲示されたコンテンツにオープンプロフィールを用いてフィードバックする活動のうち少なくとも１つを含む。コンテンツは、テキスト、オーディオ、写真、及び動画の少なくとも１つを含んでもよい。また、コンテンツはポストに称されてもよく、コンテンツを掲示する活動はポスティングに称されてもよい。
【００８９】
ユーザは、インスタントメッセージサービスのアカウントと連動される複数のオープンプロフィールを生成する。また、ユーザはそれぞれのオープンプロフィールを用いてソーシャルネットワークサービス関連活動を遂行（例えば、ポスティング）し、オープンプロフィールを用いた活動履歴は、前記オープンプロフィールで参加中であるチャットルームに表示される。さらに、ユーザは、オープンプロフィールを変えながら、インスタントメッセージサービス関連活動及びソーシャルネットワークサービス関連活動を行ってもよい。以下では、インスタントメッセージサービスのアカウントと連動される複数のオープンプロフィールを用いて行うことのできるインスタントメッセージサービス関連活動及びソーシャルネットワークサービス関連活動について説明する。
【００９０】
図２は、一実施形態に係るユーザ端末のインスタントメッセージサービスのインターフェース内のオープンチャットページ及び推薦ポストページの例示である。
【００９１】
図２を参照すると、一実施形態に係るユーザ端末のインスタントメッセージサービスのインターフェースは、オープンチャットに関連する第１ページ２０１と、オープンプロフィールを用いて実行されたソーシャルネットワークサービス関連活動に関連する第２ページ２０２を含む。以下において、第１ページ２０１はオープンチャットページ、第２ページ２０２は推薦ポストページに称される。
【００９２】
ユーザの端末は、インスタントメッセージサービスのインターフェース内の領域２１０のオープンチャットタップ２１１を選択する入力に反応してオープンチャットページ２０１を表示し、推薦ポストタップ２１２を選択する入力に反応して推薦ポストページ２０２を表示する。
【００９３】
オープンチャットページ２０１は、第１領域２２０、第２領域２３０及び第３領域２４０を含む。ユーザの端末は、オープンチャットページ２０１の第１領域２２０を用いて、インスタントメッセージサービスのユーザアカウントによって生成された少なくとも１つのオープンチャットルームのリストを表示する。例えば、ユーザ端末は、第１領域２２０で特定方向（例えば、左側）にスワイプする入力に反応し、現在の表示されたオープンチャットルーム２２１ないし２２３だけでなく、表示されていないオープンチャットルームも予め決定した順序に応じて順に表示してもよい。予め決定された順序は、オープンチャットルームが生成された時間順序、オープンチャットルームのうち最近イベントが発生した順序（例えば、インスタントメッセージを受信した時間順序）、オープンチャットルームの参加者数による順序、オープンチャットルームでユーザが特定の権限（例えば、ルーム長又は副長）のある場合、権限による順序のうち少なくとも１つを含んでもよい。オープンチャットルームのリストを表示する方法は、上記の例示に限定されることなく、様々な方法が採用されてもよい。第１領域２２０に表示されるオープンチャットルームは、オープンプロフィールを用いて生成したオープンチャットルームだけでなく、一般のプロフィールを用いて生成したオープンチャットルームを含むことができる。一実施形態によれば、一般プロフィールを用いてオープンチャットルームが生成されるが、この場合にも、一般プロフィールがそのまま用いられるよりも、一般プロフィールの情報のうちの一部（例えば、プロフィール写真及びプロフィールの名前）だけが抽出されて用いられてもよい。そのため、一般プロフィールを用いてオープンチャットルームを生成あるいは参加しても、一般プロフィールの個人情報（例えば、電話番号など）がオープンチャットルームを介して公開されることを防止することができる。
【００９４】
ユーザ端末は、オープンチャットページ２０１の第２領域２３０を用いて、インスタントメッセージサービスによって提供される匿名基盤チャットルームに関するキーワードのうち、予め決定した方法に応じて決定される推薦キーワードを表示することができる。例えば、サーバは、匿名基盤チャットルームに関するキーワードのうち、予め決定された期間内にインスタントメッセージサービスの匿名基盤チャットを使用しているユーザによって検索される量、又は増加量が閾値以上であるキーワードを推薦キーワードとして決定することができる。
【００９５】
ユーザの端末は、オープンチャットページ２０１の第３領域２４０を用いてインスタントメッセージサービスによって提供されるオープンチャットルームのうち、予め決定された方法に応じて決定される推薦オープンチャットルームを表示することができる。例えば、推薦オープンチャットルームは、人気のあるオープンチャットルームとして、サーバが予め決定した基準により決定され得る。
【００９６】
推薦ポストページ２０２は、第１領域２５０及び第２領域２６０を含む。ユーザの端末は、推薦ポストページ２０２の第１領域２５０を用いて、ユーザアカウントと連動して生成された少なくとも１つのオープンプロフィールのリストを表示する。オープンプロフィールのリストは、オープンプロフィール生成順序のような予め決定された順序に応じてオープンプロフィールを表示することができる。例えば、ユーザの端末は、第１領域２５０に一度に１つのオープンプロフィールを表示し、表示されたオープンプロフィールを特定方向（例えば、左側）にスワイプする入力に反応して、予め決定された順序に応じてオープンプロフィールを１つずつ表示してもよい。また、ユーザの端末は、領域２５３を介してオープンプロフィールの順序を表示してもよい。オープンプロフィールのリストを表示する方法は、上記の例示に限定されることなく、様々な方法が採用されてもよい。オープンプロフィールは、プロフィール写真が表示される領域２５１とポスティングを誘導するテキストが表示される領域２５２を含む。ユーザ端末は、第１領域２５０の「＋生成する」を選択する入力に反応して、ユーザアカウントと連動されたオープンプロフィールをさらに生成することができる。
【００９７】
ユーザの端末は、オープンプロフィールのリストのいずれか１つのオープンプロフィールを選択する入力に反応し、選択されたオープンプロフィールを介してソーシャルネットワークサービスを提供するためのインターフェースを表示する。
【００９８】
一例として、ユーザの端末は、オープンプロフィールの領域２５１を選択する入力に反応して、選択されたオープンプロフィールのカバービューインターフェースを表示してもよい。例えば、ユーザがオープンプロフィールの領域２５１を選択すると、ユーザ端末は、選択されたオープンプロフィールのカバービューインターフェース（例えば、図面３０１）を表示することができる。カバービューインターフェースに対する詳細な説明は、以下で図３を参照して説明することにする。
【００９９】
異なる一例として、ユーザの端末は領域２５２を選択する入力に反応して、ユーザアカウントと連動されたオープンプロフィールを用いて、ソーシャルネットワークサービス関連活動を行うためのインターフェースを表示してもよい。例えば、ソーシャルネットワークサービス関連活動を行うためのインターフェースは、コンテンツを掲示するためのインターフェース（例えば、ポスト作成インターフェース）４０１であってもよい。
【０１００】
ユーザの端末は、推薦ポストページ２０２の第２領域２６０を用いて、インスタントメッセージサービスの匿名基盤チャットを使用するユーザのオープンプロフィールに関連するソーシャルネットワークサービス関連活動のうち、予め決定された方法に応じて決定される推薦活動リストを表示する。例えば、ソーシャルネットワークサービス関連活動は、コンテンツを掲示する活動を含んでもよく、推薦活動リストは掲示されているコンテンツのうち、予め決定した基準に応じて決定された推薦コンテンツに関するリストとして、「推薦フィード」に称されてもよい。
【０１０１】
サーバは、カテゴリー単位で推薦フィードを決定し、ユーザの端末は、第２領域２６０を用いて特定のカテゴリーに属するフィードを表示する。例えば、ユーザの端末は、第２領域２６０を用いて「生活のコツポスト」、「リアルタイム推薦ポスト」、「絵を描写する人たち」のように特定のカテゴリーに関するフィードを表示してもよい。ユーザの端末は、推薦フィードを予め決定した基準に応じて変更して表示することができる。例えば、ユーザの端末は、推薦フィードを予め決定された時間（例えば、３０秒）ごとに変更して表示してもよく、又は、ユーザのリロード入力に反応して推薦フィードを変更して表示してもよい。さらに、ユーザの端末は、推薦フィードのカテゴリーを領域２１０の推薦ポストタップ２１２に表示してもよい。ここで、推薦フィードが変更される場合、推薦ポストタップ２１２の表示も変更されてもよい。
【０１０２】
図３は、一実施形態に係るユーザ端末のソーシャルネットワークサービス関連活動を行うためのインターフェースの例示である。
【０１０３】
図３を参照すると、一実施形態に係るユーザの端末は、カバービュー（ｃｏｖｅｒ  ｖｉｅｗ）インターフェース３０１，３０２を表示する。上述したように、ユーザの端末は、オープンプロフィールの領域２５１を選択する入力に反応して、選択されたオープンプロフィール（自分のユーザアカウントと連動されたオープンプロフィール）のカバービューインターフェース３０１、３０２を表示する。自分のユーザアカウントと連動されたオープンプロフィールのカバービューインターフェース３０１、３０２は、他人のユーザアカウントと連動されたオープンプロフィールのカバービューインターフェース６０２とは区別される。他人のユーザアカウントと連動されたオープンプロフィールのカバービューインターフェース６０２は、以下で図６を参照して説明する。
【０１０４】
カバービューインターフェースは、選択されたオープンプロフィールのプロフィール情報を表示するためのインターフェースである。カバービューインターフェースは、第１領域３１０、第２領域３３５、第３領域３３０、及び第４領域３１５を含む。ユーザの端末は、カバービューインターフェース内の第１領域３１０を用いて、選択されたオープンプロフィールの情報を表示する。オープンプロフィールの情報は、プロフィールイメージ、プロフィールニックネーム、プロフィールに関連するハッシュタグを含んでもよく、オープンプロフィールの情報はユーザが任意に設定してもよい。
【０１０５】
ユーザの端末は、カバービューインターフェース内の領域３２０のポスティングタップ３２１を選択する入力に反応してカバービューインターフェース内の第２領域３３５を表示し、チャットタップ３２２を選択する入力に反応してカバービューインターフェース内の第３領域３３０を表示することができる。
【０１０６】
ユーザの端末は、カバービューインターフェース内の第３領域３３０を用いて、選択されたオープンプロフィールを用いて参加中であるインスタントメッセージサービスのチャットルームリストを表示する。チャットルームリストに表示されるチャットルームは、オープンプロフィールを用いた１：１チャット形態のオープンチャットルームであってもよい。一実施形態によれば、第３領域３３０には、選択されたオープンプロフィールを用いて参加中のチャットルームリストが全て表示される代わりに、選択されたオープンプロフィールに付与されるリンク情報を介して生成された１：１チャット形態のチャットルームリストだけが表示される。インスタントメッセージサービスに加入した他のユーザは、特定ユーザのオープンプロフィールに１：１チャットを申し込むことができ、この場合、当該オープンプロフィールに付与されるリンク情報を介して、申請者と当該オープンプロフィールとの間に１：１チャット形態のオープンチャットルームが生成されてもよい。申請者は、前記オープンプロフィールと１：１チャットを申し込むとき、自分のオープンプロフィールのいずれか１つを選択することができる。
【０１０７】
ユーザの端末は、カバービューインターフェース内の第３領域３３０を用いて、選択されたオープンプロフィールを用いて参加中であるインスタントメッセージサービスのチャットルームリストを表示することができる。チャットルームリストに表示されるチャットルームは、オープンプロフィールを用いた１：１チャット形態のオープンチャットルームであってもよい。一実施形態によれば、第３領域３３０には、選択されたオープンプロフィールを用いて参加中であるチャットルームリストが全て表示される代わりに、選択されたオープンプロフィールに付与されるリンク情報を介して生成された１：１チャット形態のチャットルームリストだけが表示される。インスタントメッセージサービスに加入した他のユーザは、特定ユーザのオープンプロフィールに１：１チャットを申し込むことができ、この場合、当該オープンプロフィールに付与されるリンク情報を介して申請者と当該オープンプロフィールとの間に１：１チャット形態のオープンチャットルームが生成されてもよい。申請者は、前記オープンプロフィールと１：１チャットを申し込むとき、自分のオープンプロフィールのいずれか１つを選択することができる。
【０１０８】
ユーザの端末は、カバービューインターフェース内の第４領域３１５を選択する入力に反応して、選択されたオープンプロフィールを用いてソーシャルネットワークサービス関連活動を行うためのインターフェースを表示することができる。例えば、ユーザの端末は、カバービューインターフェース内の第４領域３１５を選択する入力に反応して、選択されたオープンプロフィールを用いてコンテンツを掲示するためのインターフェース（例えば、ポスト作成インターフェース）４０１を表示する。
【０１０９】
ユーザの端末は、カバービューインターフェース内の第２領域３３５を用いて、選択されたオープンプロフィールを介して実行されたソーシャルネットワークサービス関連活動リストを表示することができる。例えば、ユーザの端末は、カバービューインターフェース内の第２領域３３５を用いて選択されたオープンプロフィールを介して掲示したコンテンツ３３６を表示する。選択されたオープンプロフィールを介して掲示したコンテンツが複数である場合、ユーザ端末は、第２領域３３５で特定の方向（例えば、上側）にスワイプする入力に反応し、現在の表示されたコンテンツ３３６だけでなく、表示されていないオープンチャットルームも予め決定した順序に応じて順に表示することができる。ソーシャルネットワークサービス関連活動リストを表示する方法について、上記の例示に限定されることなく、様々な方法が採用されてもよい。
【０１１０】
ユーザの端末は、第２領域３３５を用いて表示されたソーシャルネットワークサービス関連活動リストのいずれか１つのソーシャルネットワークサービス関連活動を選択する入力に反応して、選択されたソーシャルネットワークサービス関連活動を表示するためのインターフェースを表示することができる。ソーシャルネットワークサービス関連活動を表示するためのインターフェースは、オープンプロフィールを用いて掲示したコンテンツを表示するためのポスト詳細インターフェース３０３であってもよい。例えば、ユーザの端末は、第２領域３３５に掲示されたコンテンツ３３６を選択する入力に反応して、選択されたコンテンツを表示するためのポスト詳細インターフェース３０３を表示することができる。
【０１１１】
ポスト詳細インターフェース３０３は、第１領域３５０、第２領域３６０、及び第３領域３４０を含む。ユーザの端末は、ポスト詳細インターフェース３０３の第３領域３４０を用いてコンテンツ内容を表示する。ユーザの端末は、ポスト詳細インターフェース３０３の第１領域３５０を用いて選択されたソーシャルネットワークサービス関連活動に対するフィードバックの主体となるオープンプロフィールを表示することができる。例えば、ユーザの端末は、複数のオープンプロフィールのうち、第１領域３５０を用いて選択されたコンテンツ３３６を照会し、評価するオープンプロフィールを表示してもよい。
【０１１２】
ユーザの端末は、ポスト詳細インターフェース３０３の第２領域３６０を用いて、選択されたソーシャルネットワークサービス関連活動に対するフィードバックに関連する情報を表示することができる。例えば、ユーザの端末は、ポスト詳細インターフェース３０３の第２領域３６０を用いて、選択されたコンテンツ３３６に対するフィードバックに関連する情報を表示してもよい。フィードバックに関連する情報は、評価を提供するためのアイコン（例えば、「いいよ」又は「ハート」アイコン）、評価に対する指標（例えば、「いいよ」の数）及び評価を提供したオープンプロフィールリスト（例えば、「いいよ」を押したオープンプロフィールのリスト）のうち少なくとも１つを含んでもよい。
【０１１３】
さらに、ユーザの端末は、第１領域３５０を選択する入力に反応して、フィードバックの主体となるオープンプロフィールを複数のオープンプロフィールのいずれか１つに変更するためのインターフェースを表示することができる。例えば、ユーザの端末は、第１領域３５０を選択する入力に反応してオープンプロフィールリストを提供するインターフェースを表示し、プロフィールを複数のオープンプロフィールのいずれか１つを選択する入力に反応して、フィードバックの主体となるオープンプロフィールを変更してもよい。フィードバックの主体となるオープンプロフィールを変更する前に表示されるデフォルトオープンプロフィールは、予め決定した基準によって決定される。例えば、チャットルームを通じてポストを見ている場合、前記チャットルームで利用中のオープンプロフィール、最新生成されたオープンプロフィール、又は最後に選択されたオープンプロフィールをデフォルトオープンプロフィールとして決定してもよい。
【０１１４】
ユーザは、現在選択されているオープンプロフィールごとに選択されたコンテンツに対するフィードバックを行う。例えば、ユーザは、第１オープンプロフィールを用いて選択されたコンテンツに対して「いいよ」アイコンを押し、第１領域３５０を選択して第２オープンプロフィールに変更し、第２オープンプロフィールで再び「いいよ」アイコンを押してもよい。この場合、ユーザ端末は、評価を提供したオープンプロフィールリストに第１オープンプロフィールと第２オープンプロフィールを全て表示することができる。
【０１１５】
図４は、一実施形態に係るソーシャルネットワークサービス関連活動の情報をチャットルームに共有する方法を説明するための図である。
【０１１６】
図４を参照すると、一実施形態に係るインスタントメッセージサービスのアカウントと連動して生成されるオープンプロフィールを用いて、オープンプロフィールに対応する掲示空間にコンテンツを掲示し、このような活動に関する情報をインスタントメッセージサービスのチャットルームに提供することができる。一例として、ユーザは、インスタントメッセージサービスのアカウントと連動して生成されるオープンプロフィールを用いて、オープンプロフィールに対応する掲示空間にコンテンツを掲示した後、コンテンツ及びコンテンツに関する情報をチャットルームに共有してもよい。又は、ユーザの直接的な共有要求がなくても、ソーシャルネットワークサービス関連活動の情報がチャットルームに提供されてもよい。上述したように、ソーシャルネットワークサービス関連活動は、ユーザがオープンプロフィールに対応する掲示空間にオープンプロフィールを用いてコンテンツを掲示する活動、オープンプロフィールを用いて掲示したコンテンツを修正する活動、及び掲示されたコンテンツにオープンプロフィールを用いてフィードバックする活動のうち少なくとも１つを含むことができる。
【０１１７】
以下で、インスタントメッセージサービスのアカウントと連動して生成されるオープンプロフィールを用いて、オープンプロフィールに対応する掲示空間にコンテンツを掲示した後、コンテンツをチャットルームに共有する方法について説明する。ユーザの端末は、領域２５２を選択する入力に反応して、ユーザアカウントと連動されたオープンプロフィールを用いて、ソーシャルネットワークサービス関連活動を行うためのインターフェースを表示する。例えば、ソーシャルネットワークサービス関連活動を行うためのインターフェースは、コンテンツを掲示するためのインターフェース（例えば、ポスト作成インターフェース）４０１であってもよい。
【０１１８】
又は、ユーザの端末は、オープンプロフィールの領域２５１を選択する入力に反応して、選択されたオープンプロフィールのカバービューインターフェースを表示してもよい。ユーザの端末は、カバービューインターフェース内の第４領域３１５を選択する入力に反応して、選択されたオープンプロフィールを用いてソーシャルネットワークサービス関連活動を行うためのインターフェースを表示する。例えば、ユーザの端末は、カバービューインターフェース内の第４領域３１５を選択する入力に反応して、選択されたオープンプロフィールを用いてコンテンツを掲示するためのインターフェース（例えば、ポスト作成インターフェース）４０１を表示してもよい。
【０１１９】
ポスト作成インターフェース４０１は、第１領域４１０及び第２領域４２０を含む。ユーザの端末は、第１領域４１０を用いて作成されたコンテンツを表示する。ユーザの端末は、第２領域４２０を選択する入力に反応して、作成されたコンテンツをオープンチャットルームで共有するためのインターフェース４０２を表示することができる。
【０１２０】
ユーザの端末は、作成されたコンテンツをオープンチャットルームで共有するためのインターフェース４０２内の第１領域４３０を介して、オープンプロフィールが参加したオープンチャットルームリストを表示し、ユーザの端末は、オープンチャットルームリストのうちの１つ以上のオープンチャットルームを選択する入力に反応して、選択されたチャットルームにコンテンツ及びコンテンツ掲示に関する情報を表示する。例えば、オープンチャットルームで共有するためのインターフェース４０２内の第１領域４３０を介して、オープンプロフィールが参加したオープンチャットルーム４３１〜４３４を表示し、ユーザの端末は、チャットルーム４３１とチャットルーム４３３を選択する入力に反応して、チャットルーム４３１とチャットルーム４３３にコンテンツ及びコンテンツ掲示に関する情報を表示することができる。コンテンツ掲示に関する情報は、以下で図５を参照して詳細に説明される。
【０１２１】
図５は、一実施形態に係るソーシャルネットワークサービス関連活動の情報をチャットルームで表示するインターフェースの例示である。
【０１２２】
図５を参照すると、一実施形態に係るユーザの端末は、オープンプロフィールでチャットルームに参加中である参加者それぞれの複数のオープンプロフィールのうち、当該チャットルームに対応してそれぞれの参加者によって選択された第１オープンプロフィールを介して実行されたソーシャルネットワークサービス関連活動の情報を当該チャットルームに表示する。ソーシャルネットワークサービス関連活動の情報は、第１オープンプロフィールそれぞれのプロフィール情報、ソーシャルネットワークサービス関連活動にアクセスできるリンク、及びソーシャルネットワークサービス関連活動のサムネイルのうち少なくとも１つを含んでもよい。
【０１２３】
一例として、ユーザの端末は、当該ユーザの複数のオープンプロフィールのうち、第１オープンプロフィールを介して実行されたソーシャルネットワークサービス関連活動の情報をふきだしとは区別されるリッチフィード形態に表示してもよい。例えば、ユーザの端末は、第１オープンプロフィールを介して実行されたコンテンツ掲示に関する情報をチャットルーム５０１にリッチフィード５１０，５２０，５３０形態に表示してもよい。リッチフィードは、チャットルームの参加者間のチャット内容を表示するふきだしと区別される形態であって、例えば、チャットルームに誰か入場したり退場するとき用いられるフィードのような形態であってもよい。
【０１２４】
リッチフィードは、当該リッチフィードの対象となる第１オープンプロフィールのプロフィール写真を表示する領域、第１オープンプロフィールを介して実行されたソーシャルネットワークサービス関連活動のサムネイルを表示する領域、及び当該ソーシャルネットワークサービス関連活動に対する説明文句を表示する領域のうち少なくとも１つを含んでもよい。例えば、リッチフィード５１０は、当該リッチフィードの対象となる第１オープンプロフィールのプロフィール写真を表示する領域５１１、及び第１オープンプロフィールを介して実行されたソーシャルネットワークサービス関連活動のサムネイルを表示する領域５１２を含む。また、リッチフィード５３０のサムネイル領域５３１を参照すると、サムネイルは写真だけでなく、テキストも含んでもよい。ユーザの端末は、リッチフィードを選択する入力に反応して、当該リッチフィードに対応するポスト詳細インターフェースを表示することができる。
【０１２５】
又は、ユーザの端末は、オープンプロフィールで参加中である参加者それぞれによってチャットルームに対応して選択された第１オープンプロフィールを介して実行されたソーシャルネットワークサービス関連活動の情報を、当該チャットルームの予め割り当てられた領域にリスト形態に表示することができる。例えば、ユーザの端末は、チャットルーム５０１の領域５４０を選択する入力に反応して、第１オープンプロフィールを介して実行されたコンテンツ掲示に関する情報をチャットルーム５０２のサイドメニュー領域５５０にリスト５５１，５５２の形態に表示してもよい。
【０１２６】
図示していないが、チャットルームに参加中であるユーザは、当該チャットルームで自分を示すためのプロフィールを変更してもよい。例えば、第１オープンプロフィールでチャットルームに参加中であるユーザは、当該チャットルームで自分を示すためのプロフィールを第２オープンプロフィールに変更することができる。この場合、第１オープンプロフィールを介して実行されたソーシャルネットワークサービス関連活動は、これ以上の前記チャットルームに表示されないことがある。代わりに、第２オープンプロフィールを介して実行されたソーシャルネットワークサービス関連活動が前記チャットルームに表示される。
【０１２７】
一実施形態によれば、チャットルームに対応して選択されるオープンプロフィールが変更されることにより、当該チャットルームのチャットログ上で過去にチャットした履歴にも変更された第２オープンプロフィールが適用される。しかし、リッチフィードの方式で表示されたり、あるいは別途の領域を介してあらかじめ共有されているソーシャルネットワークサービス関連活動には、前記活動を行ったオープンプロフィールがそのまま適用され、例えば、すでに第１オープンプロフィールの活動として共有されている内容が、第２オープンプロフィールの活動に変更されることはない。
【０１２８】
一実施形態によれば、オープンプロフィールの活動のタイプや重要度に応じて、前記活動に関する情報がリッチフィードの形態には表示されず、別途の領域を通じてのみ表示されてもよい。例えば、特定オープンプロフィールのハッシュタグ情報を修正するなどの活動を行う場合、チャットログの連続性を阻害しないためにリッチフィードの形態には表示されないことがある。但し、この場合にも、別途の領域を通じては前記活動が表示されることができる。
【０１２９】
図６は、一実施形態に係るオープンプロフィールの情報をチャットルームで表示するインターフェースの例示である。
【０１３０】
図６を参照すると、一実施形態に係るユーザの端末は、オープンプロフィールを介して実行されたソーシャルネットワークサービス関連活動の情報だけでなく、オープンプロフィールの情報をチャットルームで表示することができる。例えば、サーバは、チャットルームに参加中である複数のプロフィールのうち、少なくとも１つのオープンプロフィールの情報共有要求を受信し、ユーザの端末は、サーバのオープンプロフィールの情報共有命令に反応して、オープンプロフィールの情報６１０をチャットルーム６０１に表示する。オープンプロフィールの情報６１０は、当該オープンプロフィールのリンク情報及びプロフィール写真のうち少なくとも１つを含んでもよい。
【０１３１】
ユーザの端末は、オープンプロフィールの情報６１０を選択する入力に反応して、当該オープンプロフィールのカバービューインターフェースを表示する。例えば、ユーザの端末は、チャットルームに参加中である複数のプロフィールのうち、自分でない少なくとも１つのオープンプロフィールの情報６１０をチャットルーム６０１に表示し、ユーザの端末は、オープンプロフィールの情報６１０を選択する入力に反応して、他人のユーザアカウントと連動されたオープンプロフィールのカバービューインターフェース６０２を表示することができる。
【０１３２】
他人のユーザアカウントと連動されているオープンプロフィールのカバービューインターフェース（以下、他のアカウントのカバービューインターフェースと称する）は、第１領域３１０、第２領域３３５、及び第３領域３３０を含む。ユーザの端末は、他のアカウントのカバービューインターフェース内の第１領域３１０を用いて、当該オープンプロフィールの情報を表示する。オープンプロフィールの情報は、プロフィールイメージ、プロフィールニックネーム、プロフィールに関連するハッシュタグを含んでもよい。
【０１３３】
ユーザの端末は、他のアカウントのカバービューインターフェース内の第２領域６３０を選択する入力に反応して、当該オープンプロフィールと１：１チャット形態の一般チャットを提供するためのインターフェースを表示する。例えば、ユーザの端末は、他のアカウントのカバービューインターフェース内の第２領域６３０を選択する入力に反応して、当該オープンプロフィールと１：１チャット形態の一般チャットを提供するためのインターフェースを表示することができる。
【０１３４】
ユーザの端末は、他のアカウントのカバービューインターフェース内の第３領域６４０を用いて、選択されたオープンプロフィールを介して実行されたソーシャルネットワークサービス関連活動リストを表示する。例えば、ユーザの端末は、他のアカウントのカバービューインターフェース内の第３領域６４０を用いて、当該オープンプロフィールを介して掲示したコンテンツを表示してもよい。当該オープンプロフィールを介して掲示したコンテンツが複数である場合、ユーザ端末は、第３領域６４０で特定の方向（例えば、上側）にスワイプする入力に反応して、現在に表示されているコンテンツだけでなく、表示されていないオープンチャットルームも予め決定した順に応じて順に表示することができる。ソーシャルネットワークサービス関連活動リストを表示する方法は、上記の例示に限定されることなく、様々な方法が採用されてもよい。
【０１３５】
ユーザ端末は、第３領域６４０を用いて表示されたソーシャルネットワークサービス関連活動リストのいずれか１つのソーシャルネットワークサービス関連活動を選択する入力に反応して、選択されたソーシャルネットワークサービス関連活動を表示するためのインターフェースを表示する。ソーシャルネットワークサービス関連活動を表示するためのインターフェースは、オープンプロフィールを用いて掲示したコンテンツを表示するためのポスト詳細インターフェース３０３である。例えば、ユーザの端末は、第３領域６４０に掲示されたコンテンツを選択する入力に反応して、選択されたコンテンツを表示するためのポスト詳細インターフェース３０３を表示することができる。
【０１３６】
図７は、一実施形態に係るユーザの端末が行う匿名基盤プロフィールを介してソーシャルネットワークサービスを提供するためのインターフェース表示方法を説明するためのフローチャートである。
【０１３７】
図７を参照すると、一実施形態に係るステップＳ７１０〜７３０は、図１〜図６を参照して説明したサーバによって実行される。
【０１３８】
ステップＳ７１０において、ユーザの端末は、インスタントメッセージサービスのインターフェース内の第１ページの第１領域を用いて、インスタントメッセージサービスのユーザアカウントによって生成された少なくとも１つの匿名基盤チャットルームのリストに該当する第１リストを表示を提供する。ステップＳ７２０において、ユーザの端末は、インスタントメッセージサービスのインターフェース内の第２ページの第１領域を用いて、ユーザアカウントと連動して生成された少なくとも１つの匿名基盤プロフィールのリストに該当する第２リストを表示する。図面には図示していないが、一実施形態によれば、第１ページの第１領域と第２ページの第１領域は、同じページ上に配置される互いに異なる領域であってもよい。
【０１３９】
前述したように、少なくとも１つの匿名基盤チャットルームそれぞれにはリンク情報が付与される。リンク情報は、インスタントメッセージサービス、ソーシャルネットワークサービスだけでなく、その他の様々な方式で共有され、他のユーザは、共有されたリンク情報を選択することで、一実施形態に係るインスタントメッセージサービスから提供する当該の匿名基盤チャットルームにアクセスすることができる。また、少なくとも１つの匿名基盤プロフィールそれぞれにもリンク情報が付与されてもよい。この場合、少なくとも１つの匿名基盤プロフィールそれぞれに付与されるリンク情報は、該当する匿名基盤プロフィールと１：１チャット形態にチャットするための匿名基盤チャットルームのリンク情報を含んでもよい。
【０１４０】
ステップＳ７３０において、ユーザの端末は、第２リストのいずれか１つの匿名基盤プロフィールを選択する入力に反応して、選択された匿名基盤プロフィールを介してソーシャルネットワークサービスを提供するためのインターフェースを表示する。一例として、ユーザの端末は、選択された匿名基盤プロフィールを用いてコンテンツが掲示されるページを直ちに表示し、当該ページを介して掲示されるコンテンツを選択された匿名基盤プロフィールに参加中であるチャットルームで共有しているインターフェースを表示することができる。ここで、一実施形態によれば、共有可能なチャットルームは、選択された匿名基盤プロフィールに付与されるリンク情報を介して生成されたチャットルームのみを含んでもよい。
【０１４１】
図８は、一実施形態に係るサーバが行うソーシャルネットワークサービス関連活動の情報をチャットルームに提供する方法を説明するためのフローチャートである。
【０１４２】
図８を参照すると、一実施形態に係るステップＳ８１０〜Ｓ８３０は、前述したサーバによって実行される。
【０１４３】
ステップＳ８１０において、サーバは、インスタントメッセージサービスのアカウントと連動して生成される複数の匿名基盤プロフィールごとにソーシャルネットワークサービスを提供する。
【０１４４】
ステップＳ８２０において、サーバは、インスタントメッセージサービスのチャットルームに参加中であるユーザの複数の匿名基盤プロフィールのうち、当該チャットルームに対応して選択された第１匿名基盤プロフィールを介して実行されたソーシャルネットワークサービス関連活動の情報を受信する。
【０１４５】
ステップＳ８３０において、サーバは、第１匿名基盤プロフィールを介して実行されたソーシャルネットワークサービス関連活動の情報をチャットルームに提供する。
【０１４６】
図面に図示していないが、サーバは、チャットルームに対応して選択されるユーザのプロフィールが第１匿名基盤プロフィールから第２匿名基盤プロフィールに変更される場合、これ以上第１匿名基盤プロフィールを介して実行されたソーシャルネットワークサービス関連活動の情報をチャットルームに提供することができない。代わりに、サーバは、第２匿名基盤プロフィールを介して実行されたソーシャルネットワークサービス関連活動の情報を受信し、第２匿名基盤プロフィールを介して実行されたソーシャルネットワークサービス関連活動の情報をチャットルームに提供することができる。
【０１４７】
サーバは、チャットルームに参加しているチャットしたユーザを抽出し、チャットしたユーザの端末にソーシャルネットワークサービス関連活動の情報を送信する。チャットしたユーザの端末は、受信したソーシャルネットワークサービス関連活動の情報をチャットルームのチャット表示領域にふきだしとは区別されるリッチフィード形態に表示してもよい。又は、チャットしたユーザの端末は、受信したソーシャルネットワークサービス関連活動の情報をチャットルームの予め割り当てられた領域にリスト形態に表示してもよい。
【０１４８】
以上述した実施形態は、ハードウェア構成要素、ソフトウェア構成要素、又はハードウェア構成要素及びソフトウェア構成要素の組み合せで具現される。例えば、本実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当技術分野で通常の知識を有する者は、処理装置が複数の処理要素（ｐｒｏｃｅｓｓｉｎｇ  ｅｌｅｍｅｎｔ）及び／又は複数類型の処理要素を含むことが把握する。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【０１４９】
ソフトウェアは、コンピュータプログラム、コード、命令、又はそのうちの一つ以上の組合せを含み、希望の通りに動作するよう処理装置を構成したり、独立的又は結合的に処理装置を命令することができる。ソフトウェア及び／又はデータは、処理装置によって解釈されたり処理装置に命令又はデータを提供するために、いずれかの類型の機械、構成要素、物理的装置、仮想装置、コンピュータ格納媒体又は装置、又は送信される信号波に永久的又は一時的に具体化することができる。ソフトウェアはネットワークに連結されたコンピュータシステム上に分散され、分散した方法で格納されたり実行され得る。ソフトウェア及びデータは一つ以上のコンピュータで読出し可能な記録媒体に格納され得る。
【０１５０】
本実施形態による方法は、様々なコンピュータ手段を介して実施されるプログラム命令の形態で具現され、コンピュータ読み取り可能な記録媒体に記録される。記録媒体は、プログラム命令、データファイル、データ構造などを単独又は組み合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例として、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明に示す動作を実行するために１つ以上のソフトウェアモジュールとして作動するように構成してもよく、その逆も同様である。
【０１５１】
上述したように実施形態をたとえ限定された図面によって説明したが、当技術分野で通常の知識を有する者であれば、上記の説明に基づいて様々な技術的な修正及び変形を適用することができる。例えば、説明された技術が説明された方法と異なる順で実行されるし、及び／又は説明されたシステム、構造、装置、回路などの構成要素が説明された方法と異なる形態で結合又は組み合わせられてもよいし、他の構成要素又は均等物によって置き換え又は置換されたとしても適切な結果を達成することができる。
【０１５２】
したがって、本発明の範囲は、開示された実施形態に限定されて定められるものではなく、特許請求の範囲及び特許請求の範囲と均等なものなどによって定められるものである。
【図１】
0006963070.tif 000002
【図２】
0006963070.tif 000003
【図３】
0006963070.tif 000004
【図４】
0006963070.tif 000005
【図５】
0006963070.tif 000006
【図６】
0006963070.tif 000007
【図７】
0006963070.tif 000008
【図８】
0006963070.tif 000009